(57)【要約】【課題】負荷制御システムにおいて、複雑な論理演算によって負荷を制御することができる負荷制御用端末器を提供する。【解決手段】負荷制御用端末器３は、多重伝送線と接続された入力端子１２と、負荷機器に接続された出力端子１３と、入力端子１２に入力された複数の制御信号に基づいて出力端子の出力状態を決定する論理演算用のソフトウェアを記憶する記憶手段と、入力端子１２に入力された制御信号を検出し、記憶手段に記憶された論理演算用のソフトウェアに従って論理演算を行い、出力端子１３から負荷機器に接点信号を出力する処理手段とを備える。【選択図】図４
2009027635.tif 000002
【特許請求の範囲】
【請求項１】
多重伝送線を介して受信した制御信号に応じて、制御対象となる負荷機器に接点信号を出力する負荷制御用端末器において、
前記多重伝送線と接続された入力端子と、
前記負荷機器に接続された出力端子と、
前記入力端子に入力された複数の制御信号に基づいて前記出力端子の出力状態を決定する論理演算用のソフトウェアを記憶する記憶手段と、
前記入力端子に入力された制御信号を検出し、前記記憶手段に記憶された論理演算用のソフトウェアに従って論理演算を行い、前記出力端子から前記負荷機器に接点信号を出力する処理手段と
を備えることを特徴とする負荷制御用端末器。
【請求項２】
前記論理演算用のソフトウェアは、ＡＮＤ演算、ＯＲ演算、ＸＯＲ演算、ＮＡＮＤ演算、ＮＯＲ演算を含む複数の論理演算を前記処理手段に実行させるものであり、
前記複数の論理演算のうち何れかの論理演算を選択して設定する設定切換手段を更に備えること
を特徴とする請求項１に記載の負荷制御用端末器。
【請求項３】
前記設定切換手段は、前記複数の論理演算のうち何れかの論理演算を選択する設定と、前記複数の論理演算のうち何れの論理演算を行わない設定とが選択可能となっており、
前記処理手段は、前記設定切換手段が前記複数の論理演算のうち何れの論理演算を行わない設定となっている場合には、前記入力端子により制御信号を入力した時に所定の出力端子から接点信号を出力させること
を特徴とする請求項２に記載の負荷制御用端末器。
【請求項４】
無線信号によって、前記処理手段が論理演算を行う制御信号を識別する情報を設定する設定手段を備え、
前記処理手段は、前記設定手段によって設定された制御信号が前記入力端子に供給された場合に、前記設定切換手段によって選択された何れかの論理演算を行うこと
を特徴とする請求項２又は請求項３に記載の負荷制御用端末器。
【請求項５】
制御対象となる負荷機器の状態を変化させる外部機器から接点信号を入力する複数の入力端子と、
多重伝送線と接続された出力端子と、
前記各入力端子の接点信号の入力状態に基づいて前記出力端子の出力状態を決定する論理演算用のソフトウェアを記憶する記憶手段と、
前記各入力端子の入力状態を検出し、前記記憶手段に記憶された論理演算用のソフトウェアに従って論理演算を行い、前記出力端子から前記負荷機器を動作させる制御信号を出力する処理手段と
を備えることを特徴とする負荷制御用端末器。
【発明の詳細な説明】
【技術分野】
【０００１】
本発明は、多重伝送を用いた負荷制御用端末器に関し、特に、負荷制御用端末器から出力される信号の出力形態を設定する技術に関する。
【背景技術】
【０００２】
従来より、接点信号の入力に応じて動作する負荷機器を接点出力端末器に接続し、当該接点出力端末器が受信した制御信号に応じて接点信号を出力することにより、接続した負荷機器を遠隔制御する負荷制御システムが用いられている（例えば、特許文献１，２を参照。）。この特許文献１，２等に記載された負荷制御システムは、接点出力端末器の動作に関係する関係データの設定作業を容易に行うことできるとしている。
【０００３】
この負荷制御システムは、例えば負荷として照明負荷を制御する場合、図９に示すように、オンオフ用のスイッチや人感センサ等の複数の入力スイッチと接続された複数の接点入力端末器１０１（ＴＵ：ターミナルユニット）と、多重伝送線で伝送される制御信号を伝送制御する伝送親器１００と、照明負荷に向けて接点信号を出力する複数の接点出力端末器１０２と、結線回路１０３とを備えている。このような負荷制御システムにおいて、アドレス「０−１」の接点入力端末器１０１から出力された制御信号は、当該アドレス「０−１」に対応した接点出力端末器１０２によって受信され、アドレス「２−２」の接点入力端末器１０１から出力された制御信号は、当該アドレス「２−２」に対応した接点出力端末器１０２によって受信される。例えば、複数の接点出力端末器１０２から出力される接点信号の論理演算結果によって、照明負荷を制御する場合、負荷制御システムは、複数の接点出力端末器１０２に結線回路１０３を接続する必要がある。
【０００４】
また、他の負荷制御システムとしては、図１０に示すように、複数のスイッチに結線回路１０３を接続し、当該結線回路１０３における論理演算結果を接点入力端末器１０１から接点出力端末器１０２に出力するものが知られている。この負荷制御システムには、接点入力端末器（スイッチ端末）１０１は３路配線などの思想から、図１０の結線回路１０３のような複数入力可能なものがある一方で、接点出力端末器１０２のアドレスは重複利用できない制限がある。
【０００５】
このように、負荷制御システムにおいて、複数の入力のオンオフ状態に基づいて、所望の論理に従って負荷を制御する場合には、図９のように負荷への出力段において論理演算を行う手法や、図１０のようにスイッチの入力段において論理演算を行う手法がある。このような負荷制御システムの結線回路１０３には、例えば、図１１に示すように、入力Ａ〜Ｃに対する出力Ｑを実現する場合には、当該所望の論理演算に従った結線となっている必要がある。例えば、結線回路１０３によってＡＮＤ出力を得る場合には、図１２（ａ）に示す結線の構成を備えることによって、図１２（ｂ）のような入力Ａ〜Ｃに対してＡＮＤ演算を行うことが実現できる。また、結線回路１０３によってＯＲ出力を得る場合には、図１３（ａ）に示す結線の構成を備えることによって、図１３（ｂ）のような入力Ａ〜Ｃに対してＯＲ演算を行うことが実現できる。
【特許文献１】特開２０００−３５８２８５号公報
【特許文献２】特開２０００−３５８２８７号公報
【発明の開示】
【発明が解決しようとする課題】
【０００６】
しかしながら、上述したように、入力Ａ〜Ｃに対して接点が開閉して、論理演算を実現する結線回路１０３を備えた負荷制御システムは、例えばＸＯＲ演算を結線回路１０３によって実現したい場合、物理的な結線構成が複雑となり、容易に実現することができない問題がある。
【０００７】
特に、図９に示したように負荷への出力段において論理演算を行う負荷制御システムでは、単一の負荷を制御するために、複数の接点入力端末器のアドレスを使用する必要があり、接点入力端末器の数に制限が発生してしまう。
【０００８】
また、図１２及び図１３に示すように結線回路１０３によって論理演算を実現するために、結線回路１０３の構成が複雑となるほど、分電盤内の結線回路１０３の設置スペースが大きくなる問題もある。
【０００９】
そこで、本発明は、上述した実情に鑑みて提案されたものであり、複雑な論理演算によって負荷を制御することができる負荷制御用端末器を提供することを目的とする。
【課題を解決するための手段】
【００１０】
本発明は、多重伝送線を介して受信した制御信号に応じて、制御対象となる負荷機器に接点信号を出力する負荷制御用端末器である。この負荷制御用端末器は、多重伝送線と接続された入力端子と、負荷機器に接続された出力端子と、入力端子に入力された複数の制御信号に基づいて出力端子の出力状態を決定する論理演算用のソフトウェアを記憶する記憶手段と、入力端子に入力された制御信号を検出し、記憶手段に記憶された論理演算用のソフトウェアに従って論理演算を行い、出力端子から負荷機器に接点信号を出力する処理手段とを備える。
【発明の効果】
【００１１】
本発明に係る負荷制御用端末器によれば、入力端子に入力された複数の制御信号に基づいて出力端子の出力状態を決定する論理演算用のソフトウェアを記憶しておき、入力端子に入力された制御信号を検出し、記憶された論理演算用のソフトウェアに従って論理演算を行い、出力端子から負荷機器に接点信号を出力するので、複雑な論理演算によって負荷を制御することができる。
【００１２】
また、本発明に係る負荷制御用端末器によれば、論理演算用のソフトウェアを、ＡＮＤ演算、ＯＲ演算、ＸＯＲ演算、ＮＡＮＤ演算、ＮＯＲ演算を含む複数の論理演算を前記処理手段に実行させるものとし、複数の論理演算のうち何れかの論理演算を選択して設定するので、柔軟に論理演算を変更することができる。
【００１３】
更に、本発明に係る負荷制御用端末器によれば、複数の論理演算のうち何れかの論理演算を選択する設定と、前記複数の論理演算のうち何れの論理演算を行わない設定とが選択可能となっており、複数の論理演算のうち何れの論理演算を行わない設定となっている場合には、入力端子により制御信号を入力した時に所定の出力端子から接点信号を出力させるので、論理演算を行うか否かを柔軟に設定することができる。
【００１４】
更に、本発明に係る負荷制御用端末器によれば、無線信号によって処理手段が論理演算を行う制御信号を識別する情報が設定できるので、柔軟に論理演算を変更することができる。
【００１５】
本発明に係る負荷制御用端末器によれば、各入力端子の接点信号の入力状態に基づいて出力端子の出力状態を決定する論理演算用のソフトウェアによって論理演算を行い、出力端子から負荷機器を動作させる制御信号を出力するので、複雑な論理演算によって負荷を制御することができる。
【発明を実施するための最良の形態】
【００１６】
以下、本発明の実施の形態について図面を参照して説明する。
【００１７】
この実施の形態は、図１中の一点鎖線で示す多重伝送線Ｌを用いて接点信号を出力することによって負荷機器を制御する負荷制御システムである。特に、この負荷制御システムは、負荷制御用端末器としての接点出力端末器３に、論理演算を行う機能を実装したものである。
【００１８】
負荷制御システムは、図１に示すように、当該負荷制御システムにおける信号の転送制御を行う多重伝送親機（伝送ユニット）１と、ユーザの操作を受け付けるスイッチ等の入力デバイスと接続された接点入力端末器２Ａ，２Ｂ，２Ｃ，２Ｄ（以下、総称する場合には、単に「接点入力端末器２」と呼ぶ。）と、単一の接点出力端末器３とが、多重伝送線Ｌを介して接続されて構成される。
【００１９】
接点入力端末器２に接続された入力デバイスは、例えば、制御対象となる負荷機器が照明器具である場合に、当該照明器具を制御するために壁面等に設けられたスイッチや明るさセンサ、人感センサ等、負荷機器を利用するための各種情報を入力する入力デバイスである。この入力デバイスが受け付けた入力情報Ａ〜Ｄは、それぞれの接点入力端末器２Ａ，２Ｂ，２Ｃ，２Ｄに供給される。
【００２０】
接点入力端末器２は、入力デバイスから送信された入力情報を、接点信号として多重伝送線Ｌに送出する。接点入力端末器２Ａ，２Ｂ，２Ｃ，２Ｄのそれぞれには、多重伝送親機１が接点信号を所定の接点出力端末器３に送信するために、アドレスが付与されている。接点入力端末器２Ａにはアドレス「０−１」，接点入力端末器２Ｂにはアドレス「２−２」，接点入力端末器２Ｃにはアドレス「１−３」，接点入力端末器２Ｄにはアドレス「４−１」が与えられている。
【００２１】
接点出力端末器３は、接点入力端末器２から送信された接点信号を、多重伝送親機１を介して受信する。接点出力端末器３には、図示しない照明等の負荷機器が接続されている。接点出力端末器３は、接点入力端末器２から複数の接点信号を入力した場合に、当該複数の接点信号に基づく論理演算を行って、論理演算の結果として制御信号を負荷機器に出力する。
【００２２】
このような接点出力端末器３は、図２（ａ）に正面図、図２（ｂ）に側面図を示すように、多重伝送線Ｌと接続された入力端子である伝送信号端子１２と、負荷機器に接続された出力端子である接点出力端子１３とを備える。また、接点出力端末器３は、伝送信号端子１２に入力された複数の制御信号に基づいて接点出力端子１３の出力状態を決定する論理演算用のソフトウェアを記憶する記憶手段と、伝送信号端子１２に入力された制御信号を検出し、記憶手段に記憶された論理演算用のソフトウェアに従って論理演算を行い、接点出力端子１３から負荷機器に接点信号を出力する処理手段とを備える。処理手段は、マイクロコンピュータ等で構成され、記憶手段は、マイクロコンピュータにおける内部メモリ等で構成される。
【００２３】
論理演算用のソフトウェアは、ＡＮＤ演算、ＯＲ演算、ＸＯＲ演算、ＮＡＮＤ演算、ＮＯＲ演算を含む複数の論理演算を処理手段に実行させるものである。接点出力端末器３は、複数の論理演算のうち何れかの論理演算を選択して設定する。このために、接点出力端末器３の筐体１１には、接点出力端末器３のアドレスを設定するアドレス設定用送受信部１４が設けられている。
【００２４】
このアドレス設定用送受信部１４は、無線信号によって、論理演算を行う制御信号を識別する情報として、接点入力端末器２のアドレスを設定する。例えば、このアドレス設定用送受信部１４に対して無線信号を送出するアドレス設定器２０は、図３（ａ）に示すように、図３（ｂ）に示すようなアドレス設定画面を表示部２１に表示させるように、ユーザが操作部２３を操作し、無線信号送出部２２から無線信号を接点出力端末器３のアドレス設定用送受信部１４に送出する。
【００２５】
また、アドレス設定器２０は、図３（ｃ）、（ｄ）に示すような論理演算のタイプを表示し、操作部２３の操作に応じて、複数のＡＮＤ演算、ＯＲ演算、ＸＯＲ演算、ＮＡＮＤ演算、ＮＯＲ演算を含む複数の論理演算のうち、何れかの論理演算の選択情報をアドレス設定用送受信部１４に送出する。なお、接点出力端末器３が単一の論理演算のみを行う場合、アドレス設定器２０によって接点出力端末器３がどのような論理演算を行うかを選択する手法のみならず、単一の論理演算を行うソフトウェアのみを実装していても良い。これにより、接点出力端末器３によって、固定的に、単一の論理演算を行わせることができる。
【００２６】
アドレス設定用送受信部１４は、接点入力端末器２のアドレスが設定され、且つ論理演算の選択情報が供給されることにより、処理手段が、どの接点入力端末器２から送信された制御信号を用いて、どの論理演算を行うかを設定することができる。
【００２７】
例えば図１に示すように、接点入力端末器２のアドレス「０−１」、「２−２」、「４−１」が設定され、且つ、論理演算の選択情報によってＡＮＤ演算が設定された場合には、アドレス「０−１」の制御信号とアドレス「２−２」の制御信号とアドレス「４−１」の制御信号との３種の入力に対して、ＡＮＤ演算を行って、負荷機器を制御することができる。これにより、論理演算の選択作業を、端末器の調整段階で必須であるアドレス設定作業の一工程として含めることができ、運用を容易なものとすることができる。
【００２８】
また、接点出力端末器３は、複数の論理演算のうち何れかの論理演算を選択する設定と、複数の論理演算のうち何れの論理演算を行わない設定とが選択可能となっている。この場合、図３（ｄ）に示すように、論理演算のタイプのうち、「無し」が選択されて、その旨の無線信号が無線信号送出部２２からアドレス設定用送受信部１４に供給される。これにより、接点出力端末器３の処理手段は、複数の論理演算のうち何れの論理演算を行わない設定となっていることを認識して、伝送信号端子１２により制御信号を入力した時に所定の接点出力端子１３から接点信号を出力させるリレーとしてのみ機能することになる。このリレーとして機能する場合であっても、接点出力端末器３は、接点入力端末器２のアドレスが設定される。例えば、図２に示すように、１個の伝送信号端子１２と１個の接点出力端子１３とを備える接点出力端末器３の場合、例えばあるアドレスの制御信号のオンオフに対して、負荷機器をオンオフさせることになる。
【００２９】
このように、接点出力端末器３によれば、複雑な論理演算を行う場合であっても、複雑な結線回路を備える必要なく、負荷制御システムの回路設計において複雑な論理設計を容易に実現することができる。
【００３０】
接点出力端末器３は、上述したようにアドレス設定用送受信部１４を介して論理演算の種類を選択しても良く、例えば図４（ａ）に正面図、図４（ｂ）に側面図を示すように、何れの論理演算を行うかをディップスイッチ１５によって選択可能としても良い。図４に示す例では、ＡＮＤ演算、ＯＲ演算、ＸＯＲ演算、ＮＡＮＤ演算、ＮＯＲ演算を含む複数の論理演算のうち、ＯＲ演算を行うように設定されている。
【００３１】
このような接点出力端末器３は、アドレス設定用送受信部１４を介してＯＲ演算を行うための制御信号を送信する接点入力端末器２のアドレスが設定されると、当該アドレスの制御信号が供給された場合に、ＯＲ演算を行って、負荷機器を制御することができる。
【００３２】
このような接点出力端末器３によれば、仕様設計や設計の誤りに伴う、論理演算の変更を要する場合であっても、ディップスイッチ１５の設定状態を変更するのみで、接点出力端末器３そのものを交換する必要がない。したがって、柔軟な負荷制御システムの設計変更や、システムの回路設計に生じるメンテナンスリスクを軽減できる。
【００３３】
また、負荷制御システムによれば、接点出力端末器３が行う論理演算の種類の選択と当該論理演算に用いる制御信号のアドレス設定とをアドレス設定器２０によって行うことにより、論理演算を行わずにアドレス設定だけがアドレス設定器２０によって可能な接点出力端末器３にソフトウェアを実装するのみで、ハードウェアの追加無しで本発明を適用した接点出力端末器３を実現できる。
【００３４】
更に、接点出力端末器３は、複数の論理演算のうち何れかの論理演算を選択した場合には、図５（ａ）に示すように、接点出力端子１３ａ〜１３ｄのうち接点出力端子１３ｄから論理演算結果である接点信号を出力し、接点出力端子１３ａ〜１３ｃからは接点信号を出力しない状態となる。また、接点出力端末器３は、複数の論理演算のうち何れの論理演算も選択されていない場合には、図５（ｂ）に示すように、接点出力端子１３ａ〜１３ｄから通常出力を行わせる。この通常出力とは、例えば、伝送信号端子１２にアドレス「４−１」の制御信号が供給された場合には接点出力端子１３ａから接点信号を出力し、伝送信号端子１２にアドレス「２−２」の制御信号が供給された場合には接点出力端子１３ｃから接点信号を出力し、伝送信号端子１２にアドレス「０−１」の制御信号が供給された場合には接点出力端子１３ｄから接点信号を出力することを、テーブルデータに基づいて行うことである。更に、接点出力端末器３は、図５（ｃ）に示すように、複数の論理演算のうち何れかの論理演算が選択されていた場合であっても、論理演算結果の接点信号を出力する接点出力端子１３ｄの他に、通常出力を行う接点出力端子１３ａ〜１３ｃを設定しても良い。
【００３５】
このような接点出力端末器３は、図５（ａ）に示すようにディップスイッチ１５によって論理演算を行う設定となっている場合には論理演算結果を接点信号として出力できると共に、図５（ｂ）に示すように何れの論理演算結果も接点信号として出力しない場合には、全ての接点出力端子１３を通常出力とすることができる。この接点出力端末器３によれば、論理演算を行う必要がなくなったなどの、負荷制御システムの設定を更新する場合には、通常出力に切り換えることができる。
【００３６】
更に、本発明に係る負荷制御用端末器は、図６に示すように、複数の入力Ａ，Ｂを入力する接点入力端末器２に適用されても良い。この接点入力端末器２は、図７に示すように、制御対象となる負荷機器の状態を変化させる外部機器から接点信号を入力する複数の入力端子３１と、多重伝送線Ｌと接続された出力端子３２と、各入力端子３１の接点信号の入力状態に基づいて各出力端子３２の出力状態を決定する論理演算用のソフトウェアを記憶する記憶手段と、各入力端子３１の入力状態を検出し、記憶手段に記憶された論理演算用のソフトウェアに従って論理演算を行い、各出力端子３２から負荷機器を動作させる制御信号を出力する処理手段とを備える。また、この接点入力端末器２は、上述したようなアドレス設定用送受信部１４及びディップスイッチ１５を備える。
【００３７】
このような接点入力端末器２によれば、例えば、論理演算に用いる接点信号Ａ、Ｂが入力端子３１ａ、入力端子３１ｂから入力されることがアドレス設定用送受信部１４によって設定されると共に、論理演算としてＯＲ演算を行うことがディップスイッチ１５によって設定される。これにより、接点入力端末器２は、接点信号Ａ，Ｂを用いてＯＲ演算を行い、当該演算結果に基づく制御信号を出力端子３２を介して多重伝送線Ｌに送出することができる。
【００３８】
また、図８に示すように、接点入力端末器２が２接点入力型である場合には、２つの入力端子３１ａ，３１ｂに入力された接点信号のみを用いて、ディップスイッチ１５によって設定された論理演算を行い、出力端子３２から論理演算結果である制御信号を出力することになる。このため、アドレス設定用送受信部１４は不要となる。
【００３９】
このような接点入力端末器２によれば、負荷制御システムにおける入力段においても、接点出力端末器３と同様に、複雑な論理演算を行うことができ、接点出力端末器３と同様の効果を発揮できる。
【００４０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００４１】
【図１】本発明を適用した接点出力端末器を備えた負荷制御システムの構成を示すブロック図である。
【図２】本発明を適用した接点出力端末器の外観構成であり、（ａ）は正面図、（ｂ）は側面図である。
【図３】（ａ）はアドレス設定器の外観構成であり、（ｂ）はアドレス設定画面であり、（ｃ）、（ｄ）は論理演算のタイプの設定画面である。
【図４】本発明を適用した接点出力端末器の外観構成であり、（ａ）は正面図、（ｂ）は側面図である。
【図５】本発明を適用した接点出力端末器の説明図であり、（ａ）は論理演算結果を出力している状態、（ｂ）は通常出力をしている状態、（ｃ）は論理演算結果及び通常出力をしている状態である。
【図６】本発明を適用した接点入力端末器を備えた負荷制御システムの構成を示すブロック図である。
【図７】本発明を適用した接点入力端末器の外観構成を示す正面図である。
【図８】本発明を適用した接点入力端末器の他の外観構成を示す正面図である。
【図９】従来の負荷制御システムの構成を示すブロック図である。
【図１０】従来の負荷制御システムの構成を示すブロック図である。
【図１１】ＸＯＲ演算を説明する図である。
【図１２】（ａ）はＡＮＤ演算のための結線回路、（ｂ）はＡＮＤ演算の説明図である。
【図１３】（ａ）はＯＲ演算のための結線回路、（ｂ）はＯＲ演算の説明図である。
【符号の説明】
【００４２】
１  多重伝送親機
２  接点入力端末器
３  接点出力端末器
１１  筐体
１２  伝送信号端子
１３  接点出力端子
１４  アドレス設定用送受信部
１５  ディップスイッチ
２０  アドレス設定器
２１  表示部
２２  無線信号送出部
２３  操作部
３１  入力端子
３２  出力端子
【図１】
2009027635.tif 000003
【図２】
2009027635.tif 000004
【図３】
2009027635.tif 000005
【図４】
2009027635.tif 000006
【図５】
2009027635.tif 000007
【図６】
2009027635.tif 000008
【図７】
2009027635.tif 000009
【図８】
2009027635.tif 000010
【図９】
2009027635.tif 000011
【図１０】
2009027635.tif 000012
【図１１】
2009027635.tif 000013
【図１２】
2009027635.tif 000014
【図１３】
2009027635.tif 000015